(57)【要約】【課題】収納部の底面の位置を一定に保ったまま、アッパサポートを物品のサイズに応じた高さに変化させることができる物品ホルダーを提供する。【解決手段】ホルダー本体１０の収納部１２に各種サイズの物品を入れて保持するための物品ホルダーであって、収納部１２内において先端部が底面１２ｂに向かう方向へスプリング２８の付勢力に抗して傾倒回転できるように支持されたロアサポート２０と、収納部の上面開口１２ａよりも上方の位置まで移動可能に設けられたアッパサポート３０と、両サポートを連動させるように連結したリンク部材４０とを備えている。ロアサポート２０は収納部１２に入れた物品の一部が接触することで傾倒回転する。リンク部材４０はロアサポートが傾倒回転することに連動してアッパサポート３０を収納部の開口１２ａよりも上方の位置に移動させる。【選択図】図２
2007145216.tif 000002
【特許請求の範囲】
【請求項１】
ホルダー本体に設けられている収納部に、その上面の開口から各種サイズの物品を入れて保持するための物品ホルダーであって、
ホルダー本体に対し、収納部に突出しているとともに、先端部が収納部の底面に向かう方向へスプリングの付勢力に抗して傾倒回転できるように支持されたロアサポートと、ホルダー本体に対し、収納部に収まった位置から開口よりも上方の位置まで移動するように設けられたアッパサポートと、両サポートを連動させるように連結したリンク部材とを備え、ロアサポートは収納部に入れた物品の一部が接触することで傾倒回転し、リンク部材はロアサポートが傾倒回転することに連動してアッパサポートを収納部の開口よりも上方の位置に移動させるように構成されている物品ホルダー。
【請求項２】
請求項１に記載された物品ホルダーであって、
収納部の開口から底面までの寸法が、比較的小さいサイズの物品の高さに合わせて設定されている物品ホルダー。
【発明の詳細な説明】
【技術分野】
【０００１】
本発明は、車両室内のコンソールボックス上面などに設けられるホルダー本体の収納部に、その上面の開口部から飲料容器などの物品を入れて保持するための物品ホルダーに関する。
【背景技術】
【０００２】
この種の物品ホルダーについては、例えば特許文献１に開示された技術が既に知られている。この技術では飲料容器を上方から収納する受け部材（ロアサポート）と、容器の胴部を外側から保持する環状の保持枠（アッパサポート）とが個々にラックを備え、これらのラックがピニオンを通じて相互に噛み合っている。そこでロアサポートに容器を入れ、かつ、使用者が容器を通じてロアサポートを押し下げると、ロアサポートが下方に移動するのに伴い、ラックとピニオンの噛み合いを通じてアッパサポートが上方に移動する。これにより、ロアサポートの底面からアッパサポートまでの寸法が大きくなり、高さの大きい容器に対応した保持が可能となる。
【特許文献１】特開２００５−１４５３８４号公報
【発明の開示】
【発明が解決しようとする課題】
【０００３】
このように容器のサイズに応じてロアサポートを上下に移動させたのでは、それによって容器を受ける収納部の底面の高さが変化することとなり、使用する者に違和感を与える場合がある。またロアサポートを上下に移動させるためのスペースを確保することが必要であり、その分、ホルダーが設置されるコンソールボックスなどのスペースが犠牲となってしまう。
【０００４】
本発明は、このような課題を解決しようとするもので、その一つの目的は、収納部の底面の位置を一定に保ったまま、アッパサポートを飲料容器などの物品のサイズに応じた高さに変化させることができる物品ホルダーを提供することである。
本発明における他の一つの目的は、小サイズの物品の取り出しが容易で、かつ、設置スペースが小さくて済む物品ホルダーを提供することである。
【課題を解決するための手段】
【０００５】
本発明は、上記の目的を達成するためのもので、以下のように構成されている。
請求項１に記載の発明は、ホルダー本体に設けられている収納部に、その上面の開口から各種サイズの物品を入れて保持するための物品ホルダーであって、ホルダー本体に対し、収納部に突出しているとともに、先端部が収納部の底面に向かう方向へスプリングの付勢力に抗して傾倒回転できるように支持されたロアサポートと、ホルダー本体に対し、収納部に収まった位置から開口よりも上方の位置まで移動するように設けられたアッパサポートと、両サポートを連動させるように連結したリンク部材とを備えている。ロアサポートは収納部に入れた物品の一部が接触することで傾倒回転する。リンク部材はロアサポートが傾倒回転することに連動してアッパサポートを収納部の開口よりも上方の位置に移動させるように構成されている。
【０００６】
この構成によれば、ホルダー本体の収納部に入れる物品によってロアサポートが傾倒回転し、これに連動してアッパサポートが収納部の開口よりも上方の位置に移動する。すなわち物品を受け止める収納部の底面の位置は一定に保ったまま、アッパサポートを物品のサイズに応じた高さに変化させることができる。したがって飲料ボトルなどのように高さの大きい物品であっても安定した保持が可能になるとともに、収納部の底面は変化することなく常に定位置にあるので、収納部に物品を入れたときの違和感がなく、使いやすい。
【０００７】
請求項２に記載の発明は、請求項１に記載された物品ホルダーであって、収納部の開口から底面までの寸法が、比較的小さいサイズの物品の高さに合わせて設定されている。
このように収納部の深さそのものは小さめに設定することにより、小サイズの物品が取り出しやすく、またホルダーの設置に必要なスペースが小さくて済む。
【発明を実施するための最良の形態】
【０００８】
以下、本発明を実施するための最良の形態を、図面を用いて説明する。
図１は車両室内に設けられる飲料容器用ホルダーを表した平面図である。図２は図１のII−II矢視方向の断面図である。これらの図面で示すように容器用ホルダーの構造は、ホルダー本体１０と、ロアサポート２０と、アッパサポート３０と、リンク部材４０とに大別される。なお、これらの各部材は個々に樹脂材による一体成形品である。
【０００９】
ホルダー本体１０はボックス形状をしており、その中央に各種サイズの容器を入れるための収納部１２を備えている。つまり収納部１２の上面は開口１２ａになっているとともに、内部の底面１２ｂで容器を受けるようになっている。またホルダー本体１０は、収納部１２における外周部の三箇所に位置する取付けスペース１４を備えている。これらの取付けスペース１４は等間隔（120°間隔）に配置されているとともに、個々に収納部１２内と連通した凹形状に設定されている。
【００１０】
各取付けスペース１４内には、収納部１２の開口１２ａと底面１２ｂとのほぼ中間の高さにおいてストッパ面１６が位置している（図２）。また各取付けスペース１４内における両サイドの壁面には、図２および次に説明する図３からも明らかなように、収納部１２の内周面の傾きと平行に上下方向へ延びるガイド溝１８がそれぞれ設けられている。そして各取付けスペース１４に、ロアサポート２０、アッパサポート３０およびリンク部材４０が、これらを一組としてそれぞれ組み付けられる。
【００１１】
図３はホルダー本体１０の一部とアッパサポート３０とを分離状態で表した斜視図である。図４はロアサポート２０とリンク部材４０とを分離状態で表した斜視図である。図４からも明らかなようにロアサポート２０は平面形状が板状であり、その表面が容器と接触する当接面２０ａになっているとともに、先端面が容器の胴部を受ける円弧形状の受け面２０ｂになっている。ロアサポート２０における受け面２０ｂと反対側の端部は、リンク部材４０と連結するための連結部２２となっている。この連結部２２は、所定の間隔をもって対向させた一対の連結片２２ａと、これらの両連結片２２ａにそれぞれ開けられた孔２２ｂとによって構成されている。
【００１２】
ロアサポート２０は、その両側面から突出した一対の支持突起２４を備えている。またロアサポート２０は、上下面で開放したスプリング用の取付け空間２６を備え、この取付け空間２６内には両支持突起２４と同軸線上において取付け軸２７が位置している。この取付け軸２７の一端は取付け空間２６の内壁面から所定の間隔をもって離れており、その間隔を利用して取付け軸２７の軸上にコイル状のスプリング２８が組み付けられる。
【００１３】
ロアサポート２０の両支持突起２４は、ホルダー本体１０における取付けスペース１４の両サイドの壁面に対して回転可能に支持される（図２）。この回転により、ロアサポート２０の当接面２０ａ側の部分が収納部１２内に突出し、あるいは取付けスペース１４の下部に収められる。またスプリング２８の一端部は取付けスペース１４内の一部（ストッパ面１６の一部）に引っ掛けられ、他端部はロアサポート２０の裏面に引っ掛けられている。つまり、スプリング２８は、両支持突起２４の軸線上において捩りバネとして機能する。これによって両支持突起２４を回転支点とするロアサポート２０は、その受け面２０ｂ側を収納部１２内に突出させる回転方向（図２の反時計回り方向）へ付勢されている。なおスプリング２８の付勢力によるロアサポート２０の回転は、連結部２２の両連結片２２ａ下端が取付けスペース１４内のストッパ面１６に受け止められることで規制される。
【００１４】
アッパサポート３０は、図３からも明らかなように下面が開放された中空ブロック形状の本体３２と、本体３２の両側下部から下方へ延びる一対の脚部３４とを備えている。本体３２の前面側（収納部１２に対向する側）は、容器の胴部を受ける円弧形状の受け面３２ａとなっている。また本体３２の両側壁には、リンク部材４０と連結するための孔３２ｂがそれぞれ開けられている。一方、両脚部３４は個々の外側の上下二箇所において係合突起３６をそれぞれ備えている。これらの各係合突起３６は、ホルダー本体１０における取付けスペース１４の両ガイド溝１８に対して上下方向へ移動可能に係合することができる。
【００１５】
リンク部材４０は、その下部４０ａに比べて上部４０ｂが左右に開いたフォーク状になっている（図４）。そして下部４０ａおよび上部４０ｂの外側には、それぞれ連結突起４２，４４が設けられている。リンク部材４０の下部４０ａ先端は、ロアサポート２０における連結部２２の両連結片２２ａの間に挿入可能であり、そのときに両連結突起４２を両連結片２２ａの孔２２ｂにそれぞれ係合させることができる。リンク部材４０の上部４０ｂは、アッパサポート３０における本体３２の開放下面から内部に挿入され、それによって両連結突起４４を本体３２の両孔３２ｂにそれぞれ係合させることができる。
【００１６】
ホルダー本体１０の取付けスペース１４にロアサポート２０およびアッパサポート３０を組み付けるには、まず両サポート２０，３０をリンク部材４０によって上記のように連結する。つぎに取付け空間２６にスプリング２８が組み付けられたロアサポート２０の両支持突起２４を取付けスペース１４の両サイド壁に対して回転可能に支持する。また、これと併行してアッパサポート３０における両脚部３４の各係合突起３６を取付けスペース１４の両ガイド溝１８に対して上下方向へ移動可能に係合させる。
【００１７】
このようにしてホルダー本体１０における三箇所の取付けスペース１４に両サポート２０，３０がそれぞれ組み付けられる。そしてロアサポート２０は、既に述べたようにスプリング２８の付勢力と、ストッパ面１６による回転規制とによって受け面２０ｂ側を収納部１２内に突出させた水平状態に保持されている（図２）。一方、アッパサポート３０については、ロアサポート２０の回転位置に基づき、リンク部材４０を通じて取付けスペース１４内で最も下方へ移動した状態に保持されている。このとき、アッパサポート３０の本体３２上面とホルダー本体１０上面とはほぼ同一面になっており、容器ホルダーの意匠性が配慮されている。
【００１８】
図５〜７はホルダー本体１０の収納部１２に各種サイズの容器を入れたときの両サポート２０，３０の作動状態を図２の一部と対応させて表した断面図である。なお、これらの図面ではスプリング２８を省略している。図５はホルダー本体１０の収納部１２内に図２の実線で示す缶容器Ａ1のような小サイズの容器を入れた場合を示し、両サポート２０，３０は元の規制位置に保持されたままである。この場合、缶容器Ａ1の胴部はロアサポート２０の受け面２０ｂで受け止められて安定している。
【００１９】
ホルダー本体１０の収納部１２に、図２の仮想線で示すカップ容器Ａ2のような大サイズの容器を開口１２ａから入れ始めると、このカップ容器Ａ2の底などがロアサポート２０の当接面２０ａに干渉する。これにより、ロアサポート２０が支持突起２４を支点としてスプリング２８の付勢力に抗して回転する。すなわちロアサポート２０は、その先端部の受け面２０ｂが収納部１２の底面１２ｂに向かう方向へ傾倒回転する（図６）。このロアサポート２０の回転に伴い、リンク部材４０を通じてアッパサポート３０がガイド溝１８に案内されて押し上げられ、アッパサポート３０の本体３２が収納部１２の開口１２ａよりも上方に移動する。
【００２０】
カップ容器Ａ2を収納部１２内に入れ終えた状態では、図７で示すようにロアサポート２０は取付けスペース１４内の下部に収まっている。そしてアッパサポート３０は最も上方へ移動し、その本体３２が開口１２ａの上部に位置している。このアッパサポート３０の受け面３２ａによってカップ容器Ａ2の胴部が受けられ、高さのある大サイズの容器であっても安定した保持が可能となる。
【００２１】
また本実施の形態の容器ホルダーは、容器のサイズにかかわらず収納部１２の底面１２ｂは一定の位置に保たれているので、容器のサイズが変わる度に開口１２ａの高さが変化するのと異なり、収納部１２に容器を入れたときの違和感がない。そして収納部１２の深さは缶容器Ａ1のような小サイズの容器に合わせているので、小サイズの容器が取り出しやすく、かつ、ホルダー本体１０の高さも小さく設定できる。このため容器ホルダーを設置するコンソールボックスなどのスペースの犠牲も小さくて済む。
なお以上は好適な実施の形態として容器用ホルダーを例示したが、ホルダーに収納する物は容器に限らず様々な物品を対象とすることが可能である。
【図面の簡単な説明】
【００２２】
【図１】車両室内に設けられる容器用ホルダーを表した平面図
【図２】図１のII−II矢視方向の断面図
【図３】ホルダー本体の一部とアッパサポートとを分離状態で表した斜視図
【図４】ロアサポートとリンク部材とを分離状態で表した斜視図
【図５】収納部に小サイズの容器を入れた状態を図２の一部と対応させて表した断面図
【図６】収納部に大サイズの容器を入れている状態を図２の一部と対応させて表した断面図
【図７】収納部に大サイズの容器を入れ終えた状態を図２の一部と対応させて表した断面図
【符号の説明】
【００２３】
１０ ホルダー本体
１２ 収納部
１２ａ      開口
１２ｂ      底面
２０ ロアサポート
２８ スプリング
３０ アッパサポート
４０ リンク部材
【図１】
2007145216.tif 000003
【図２】
2007145216.tif 000004
【図３】
2007145216.tif 000005
【図４】
2007145216.tif 000006
【図５】
2007145216.tif 000007
【図６】
2007145216.tif 000008
【図７】
2007145216.tif 000009